(57)【要約】【課題】本発明の目的は、ユーザが簡単に取付け・取外し可能で、強度的にも信頼性の高いストラップの固定機構を提供することである。【解決手段】上記目的は、外郭が２つのハウジングを組み合わせた構成からなり、外郭に取付けられるストラップを備えた携帯式工具において、ストラップの取付け機構は、ストラップに形成されたリング状の係留輪に該係留輪を係留する部品であるスリーブを通した状態で、該スリーブが２つのハウジングの間に挟まれるように配置され、該スリーブと２つのハウジングを貫通するねじであるスリーブ固定ねじを締めることによって該スリーブがハウジングに固定され、前記ストラップが工具本体に接続される構成にすることで達成される。【選択図】図１
2004122252.tif 000002
【特許請求の範囲】
【請求項１】
工具本体と工具本体を吊り下げるためのストラップを有する携帯式工具において、外郭であるハウジングを分解することなくストラップを交換できるストラップ取付け機構を有することを特徴とする携帯式工具。
【請求項２】
請求項１において、外郭は２つのハウジングを組み合わせた構成からなり、ストラップ取付け機構は、ストラップに形成されたリング状の係留輪に該係留輪を係留する部品であるスリーブを通した状態で、該スリーブが２つのハウジングの間に挟まれるように配置され、該スリーブと２つのハウジングを貫通するねじであるスリーブ固定ねじを締めることによって該スリーブがハウジングに固定され、前記ストラップが工具本体に接続されることを特徴とする携帯式工具。
【請求項３】
請求項２において、前記スリーブ固定ねじは機械ねじであり、該固定ねじと係合するナットととも構成されることを特徴とする携帯式工具。
【請求項４】
請求項２において、前記ハウジングには前記スリーブを固定されるべき位置まで導く溝が形成されていることを特徴とする携帯式工具。
【発明の詳細な説明】
【０００１】
【発明の属する技術分野】
本発明は携帯式工具のストラップ取付け機構に関する発明である。
【０００２】
【従来の技術】
携帯式工具は一般的に、作業時に工具本体が落下するのを防止するため、ストラップを備えている。図６はストラップ４を手首に通し作業をしている図である。このようにすることで、不意に工具本体を離してしまったときに、ストラップ４が手首に引っかかり工具本体の落下を防止することができる。また、持ち運びの際にストラップ４をつかんで運ぶことができる。
【０００３】
図３、図４、図５に、一般的なストラップの取付け機構をそなえた携帯式工具を示す。電池パックを電源とするコードレス工具で、図５は全体図、図３はストラップ取付け部を後方から見た構造断面図、図４はストラップ取付け部を右から見た構造断面図である。図４は構造がわかるよう手前のハウジングを外してある。これは、２つ割りハウジングのねじボスをストラップの固定に利用した例である。左側ハウジング１に設けた円筒形状のねじボス１ｅにストラップ４の係留輪４ｂを通し、右側ハウジング２に形成された凹部２ｅがねじボス１ｅと勘合するように、左右のハウジングを組み合わせ、タッピンねじ１０で固定する。タッピンねじ１０の一つはストラップ固定部の締付けを兼ねている。このような構成により、ストラップ４は抜け出さないように、かつねじボス１ｅを軸としてある程度回転可能に固定される。
【０００４】
一方、ユーザは自分の好みの色や形状の別のストラップに交換したい場合がある。この場合、上記のような固定方法では、ストラップ４を取付け・取外しするには、左側ハウジング１と右側ハウジング２を分解する必要があった。これでは工具本体を分解することになるが、工具の分解・組立は多数の部品を取り扱う複雑な作業である。また、分解後にタッピンねじを再度締付ける際に、めねじが樹脂であるため破損しやすく、工具の分解・組立に熟練しないユーザにはできない作業であった。このように、ハウジングの分解が伴うことによりストラップの交換作業は困難なものとなり、ユーザが自分で行うことは出来なかった。
【０００５】
また、上記の固定方式に近い例として、ストラップを横方向にも回転可能にした吊り金具を備えたものもある（例えば、特許文献１）。こちらもねじボスを軸とした機構であり、ストラップの取付け取外しには工具本体を分解しなくてはならなかった。
また、ねじボスを使用しない例としては、本体に設けた穴にフック状の金具を引っ掛けるように固定し、これにストラップをつなげる方法もある（例えば、特許文献２）。取付け・取外しは容易であるが、固定の強度の面ではねじボスを軸とした機構の方が信頼性が高かった。
【特許文献１】実開平５−６０７７８
【特許文献２】特開平７‐３２８９５８
【発明が解決しようとする課題】
本発明の目的は、工具本体のハウジングを分解することなく取付け・取外し可能で、強度的にも信頼性が高く、ユーザが簡単に取付け・取外しのできるストラップの固定機構を提供することである。
【０００６】
【課題を解決するための手段】
上記目的は、外郭が２つのハウジングを組み合わせた構成からなり、外郭に取付けられるストラップを備えた携帯式工具において、ストラップの取付け機構は、ストラップに形成されたリング状の係留輪に該係留輪を係留する部品であるスリーブを通した状態で、該スリーブが２つのハウジングの間に挟まれるように配置され、該スリーブと２つのハウジングを貫通するねじであるスリーブ固定ねじを締めることによって該スリーブがハウジングに固定され、前記ストラップが工具本体に接続される構成にすることで達成される。
【０００７】
また上記目的は、スリーブ固定ねじを機械ねじとし、係合するナットとともに構成することで達成される。
また上記目的は、ナットをハウジングに形成された窪みに回転不能に圧入することで達成される。
また上記目的は、スリーブ固定ねじにスプリングワッシャを組み合わすことで達成される。
また上記目的は、ハウジングにスリーブを固定されるべき位置まで導く溝を形成することで達成される。
【０００８】
【発明の実施の形態】
図１、図２に本発明によるストラップの固定機構を示す。図１は本体後部から、図２は本体右側から見た構造断面図である。図２は構造がわかるように手前側のハウジングを外してある。工具本体を右側から見た全体外観図は従来技術である図５と同じで、２つ割りハウジングを用いた携帯式工具のグリップ下部にストラップを取付けてある。
【０００９】
まず、スリーブ固定機構の構成を説明する。図２のように、ストラップ４の端には係留輪４ｂが形成されており、その中にスリーブ５が挿入されている。スリーブ５は図１のように左側ハウジング１、右側ハウジング２にそれぞれ形成されたくぼみ状のストラップ室１ａ、１ｂに収められ、ハウジング１、２とスリーブ４を貫通するスリーブ固定ねじ６とナット９によって、ハウジング１、２に挟み込まれるように固定されている。
【００１０】
次に、構成部品の詳細を説明する。ストラップ４は布製で、帯状の布をカシメ具４ａにより大小２つの輪を形成するように繋げられたものである。大きい方の輪は手にかけるのに使われ、小さい方の輪が係留輪４ｂとして本体との接続のために使われる。スリーブ５はストラップ４を係留すると共にスリーブ固定ねじ５の軸力を支えるためのものであり、鉄製で、パイプ状の形をしている。長さはストラップ４幅より少し長く、内径はスリーブ固定ねじ５径より少し大きく、肉厚は２〜３ｍｍ程度である。ストラップ室１ａ、１ｂは、ストラップ４の係留輪４ｂとスリーブ５を収めるためのものであり、ストラップ４がある程度自由に動けるようにハウジング１、２に窪みのように形成され、幅はストラップ４幅より少し大きい。ストラップ室１ａ、１ｂと電池パック３の間にはかみ込み防止壁１ｇがある。ストラップ室１ａ、１ｂにはスリーブ４挿入時のガイドとなるスリーブ挿入溝１ｂ、２ｂが形成されており、溝幅はスリーブ５外径より少し大きく、溝深さはスリーブ５が隙間なく収まる深さであり、溝長さはハウジング１、２外側からスリーブ５が固定される位置まで続いている。スリーブ５固定位置には、スリーブ固定ねじ６を通すための貫通穴１ｄ、２ｄが形成されており、この穴はスリーブ固定ねじ６径より少し大きく、ハウジング１、２を貫通するように形成されている。貫通穴１ｄ、２ｄの端には、右側ハウジング２にはスリーブ固定ねじ６の座ぐり２ｃ、左側ハウジング１にはナット９を収めるナット室１ｃが形成されている。ナット室１ｃはナット９と同形状の正六角柱のくぼみで、入り口付近はナット９がスムースに入るよう少し大きく、奥のほうはナット９が六角角部で圧入になるよう角を丸くしてある。スリーブ固定ねじ６は一般的な十字穴のメートル並目ねじで、緩み防止のためのスプリングワッシャ８と平座金７を備えている。ナット９も一般的な六角形状のものである。
【００１１】
以上の構成による効果を以下に述べる。
ストラップ４の取付け・取外し手順は次のようになる。工場での製品組立時には、工具本体側をあらかじめ組み立てておき、ナット９をナット室１ｃに圧入しておく。取付けは、まずストラップ４の輪にスリーブ５を挿入する。次にこれを工具本体のスリーブ挿入溝１ｂ、２ｂに通して奥まで入れる。最後に固定ねじをハウジング１、２の貫通穴１ｄ、２ｄとスリーブ５に貫通させてプラスドライバでナット９と締付ける。取外しは取付けと逆の手順で行えばよい。図７に取外しの手順を図示する。▲１▼スリーブ固定ねじ６を外し、▲２▼ストラップ４とスリーブ５を本体から外し、▲３▼スリーブ５をストラップ４から外す。このように、ストラップ４の取付け・取外しが工具本体を分解することなくできる。
【００１２】
またスリーブ固定ねじ６が機械ねじであるため、締め・緩めの繰り返しに耐えることができるし、タッピンねじのようにめねじのねじ山を壊す恐れがない。このため、ユーザは何度でもストラップ４の取付け・取外しをできる。
また、ナット９は断面形状が同じであるナット室１ｃ、２ｃに回転不能に圧入されているため、スリーブ固定ねじ６を締め・緩めするときにナット９ごとまわってしまうことがない。このため、ナット９を押えている必要がなく、取付け・取外しが簡単にできる。また、ナット９を紛失しにくく、再び挿入する手間もない。
【００１３】
またスリーブ挿入溝１ｂ、２ｂにスリーブ５が隙間なく収まるため、スリーブ固定ねじ６を締付けたときにスリーブ４が軸力を支えてくれる。このため、ハウジング１、２が軸力で大きく変形してしまうことがない。さらに、スリーブ５とスリーブ挿入溝１ｂ、２ｂの接触面積は、固定ねじの軸力による面圧でハウジング１、２が著しい変形を起こさない程度の面積を確保しているため、スリーブ５がハウジング１、２にめり込んで軸力が低下してしまうことがない。また、スリーブ固定ねじ６にスプリングワッシャ８を使用しているため、工具使用時の振動の下でもねじと座面との接触が保持される。このためスリーブ固定ねじ６は緩みにくく、不意にストラップ４が外れることがなく安全である。
【００１４】
また、スリーブ挿入溝１ｂ、２ｂはスリーブ５挿入の際にガイドとして働き、スリーブ５を固定位置に導いてくれる。このため、取付けが簡単にできる。
また、ストラップ４はスリーブ５を軸として輪の部分で回転可能であり、ストラップ４が上下に引張られたときに付け根に局部的な力が集中するのを防ぐことができる。これにより、ストラップ４は十分な自由度を持ち、かつ切れにくい。
また、ストラップ室１ｃ、２ｃと電池パック３の間にはかみこみ防止壁１ｇがあり、ストラップ４が電池パック３側へ回り込みにくくしてくれる。このため、ストラップ４が邪魔にならず、電池パック３を挿入しやすい。
【００１５】
【発明の効果】
本発明によれば、外郭が２つのハウジングを組み合わせた構成からなり、外郭に取付けられるストラップを備えた携帯式工具において、ストラップの取付け機構は、ストラップに形成されたリング状の係留輪に該係留輪を係留する部品であるスリーブを通した状態で、該スリーブが２つのハウジングの間に挟まれるように配置され、該スリーブと２つのハウジングを貫通するねじであるスリーブ固定ねじを締めることによって該スリーブがハウジングに固定され、前記ストラップが工具本体に接続される構成にすることにより、ストラップの取付け・取外しが工具本体を分解することなくできるようになり、ユーザがストラップの交換を自分でできるようになる。これにより、ユーザはストラップを自分好みのデザインのものに交換することができ、他人の工具との差異化をはかるなど楽しむことができる。またストラップの違いにより他人の工具との識別をしやすくなり、工具の盗難防止の効果もある。
【００１６】
また、スリーブ固定ねじを機械ねじとし、係合するナットとともに構成することにより、スリーブ固定ねじが壊れにくく、何度でも取付け取外しができる。
また、ナットをハウジングに形成された窪みに回転不能に圧入することにより、取付け・取外し時にナットを押えている必要がなく、簡単に取付け・取外しができ、取付け・取外し時にナットを紛失しにくく、再び挿入する手間もない。
また、スリーブ固定ねじにスプリングワッシャを組み合わすことにより、スリーブ固定ねじは緩みにくく、不意にストラップが外れることがなく安全である。
また、ハウジングにスリーブを固定されるべき位置まで導く溝を形成することにより、スリーブ挿入のさい、自動的に固定位置まで導かれるため、簡単に取付できる。
【図面の簡単な説明】
【図１】本発明によるストラップ固定機構を備えた携帯式工具を後方から見た構造断面図。
【図２】本発明によるストラップ固定機構を備えた携帯式工具を右方向から見た構造断面図。
【図３】従来技術によるストラップ固定機構を備えた携帯式工具を後方から見た構造断面図。
【図４】従来技術によるストラップ固定機構を備えた携帯式工具を右方向から見た構造断面図。
【図５】ストラップを備えた携帯式工具を右方向から見た全体外観図。
【図６】ストラップの使用例。
【図７】本発明によるストラップ固定機構のストラップ取外しの手順。
【符号の説明】
１は左側ハウジング、１ａはストラップ室、１ｂはスリーブ挿入溝、１ｃはナット室、１ｄは貫通穴、１ｅはねじボス、１ｆはねじ穴、２は右側ハウジング、２ａはストラップ室、２ｂはスリーブ挿入溝、２ｃは座ぐり、２ｄは貫通穴、２ｅは凹部、３は電池パック、４はストラップ、４ａはカシメ具、４ｂは係留輪、５はスリーブ、６はスリーブ固定ねじ、７は平座金、８はスプリングワッシャ、９はナット、１０はかみこみ防止壁である。
【図１】
2004122252.tif 000003
【図２】
2004122252.tif 000004
【図３】
2004122252.tif 000005
【図４】
2004122252.tif 000006
【図５】
2004122252.tif 000007
【図６】
2004122252.tif 000008
【図７】
2004122252.tif 000009